(57)【要約】【課題】焦点距離の変更が可能な光学系にアクセサリ部材が外付けされたことを検出手段によって検出し、制限手段によって光学系の焦点距離の範囲をケラレを生じない範囲に制限し、または、警告手段によってケラレを発生しないように警告を発することによりケラレの発生を防止するテレビレンズ装置を提供する。【解決手段】光学系３１にワイパーユニット４１が装着されたことが検出手段３３によって検出されると、制御手段３５はレンズ駆動手段３２を介して、光学系３１の焦点距離の範囲をケラレを生じさせない範囲（制限範囲）に制限する。表示手段２３は、光学系３１の焦点距離の範囲が制限されていることを示す表示をする。【選択図】      図３
2007057800.tif 000002
【特許請求の範囲】
【請求項１】
焦点距離の変更が可能な光学系と、
前記光学系の焦点距離を変更する焦点距離変更手段と、
前記光学系の所定の焦点距離の範囲において、前記光学系により結像される像にケラレを生じさせるアクセサリ部材が前記光学系に外付けされたか否かを検出する検出手段と、
前記検出手段により前記アクセサリ部材が前記光学系に外付けされたことが検出された場合に、前記焦点距離変更手段により変更可能な焦点距離の範囲を前記ケラレを生じさせない範囲に自動的に制限する自動制限手段と、
を備えたことを特徴とするテレビレンズ装置。
【請求項２】
前記制限手段は、前記焦点距離変更手段により変更可能な焦点距離の範囲を前記アクセサリ部材の種類に対応して制限する、
ことを特徴とする請求項１に記載のテレビレンズ装置。
【請求項３】
前記ケラレを生じさせない範囲を記憶する記憶手段を更に備え、
前記ケラレを生じさせない範囲は、前記記憶手段に予め記憶されている範囲又は操作者により設定された範囲である、
ことを特徴とする請求項１又は２に記載のテレビレンズ装置。
【請求項４】
焦点距離の変更が可能な光学系と、
前記光学系の焦点距離を変更する焦点距離変更手段と、
前記焦点距離変更手段によって前記光学系の焦点距離の変更可能な範囲を手動で制限する焦点距離制限手段と、
前記光学系の所定の焦点距離の範囲において、前記光学系により結像される像にケラレを生じさせるアクセサリ部材が前記光学系に外付けされたか否かを検出する検出手段と、
前記検出手段により前記アクセサリ部材が前記光学系に外付けされたことが検出され、かつ前記焦点距離制限手段によって前記所定の焦点距離の範囲への変更が制限されていない場合に警告を発する警告手段と、
を備えることを特徴とするテレビレンズ装置。
【請求項５】
焦点距離の変更が可能な光学系と、
前記光学系の焦点距離を変更する焦点距離変更手段と、
前記焦点距離変更手段によって前記光学系の焦点距離の変更可能な範囲を手動で制限する焦点距離制限手段と、
前記光学系の所定の焦点距離の範囲において、前記光学系により結像される像にケラレを生じさせるアクセサリ部材が前記光学系に外付けされたか否かを検出する検出手段と、
前記検出手段により前記アクセサリ部材が前記光学系に外付けされたことが検出され、かつ前記光学系の焦点距離が前記所定の焦点距離の範囲内に入ると、警告を発する警告手段と、
を備えることを特徴とするテレビレンズ装置。
【請求項６】
前記アクセサリ部材は、ワイパーユニット又はレンズフードである、
ことを特徴とする請求項１乃至５のいずれかに記載のテレビレンズ装置。
【発明の詳細な説明】
【技術分野】
【０００１】
本発明はテレビレンズ装置に係り、特にケラレの発生を防止するテレビレンズ装置に関する。
【背景技術】
【０００２】
従来、アクセサリ部材を外付けするフィールドカメラ用のテレビレンズとして、例えば、特許文献１では、テレビレンズの前部にテレビレンズフード又はワイパーユニットを共通の取付部を介して取り付けるテレビレンズが提案されている。これにより、このテレビレンズはアクセサリ部材を着脱可能に装着することができる。
【特許文献１】特開平９−８０６２２号公報
【発明の開示】
【発明が解決しようとする課題】
【０００３】
ところで、スタジオカメラ用のテレビレンズ（ワイド系）を屋外で使用するときにワイパーユニット等のアクセサリ部材を外付けする必要が生ずることがある。このとき、光学系にアクセサリ部材を外付けして撮影を行なう場合、ワイドズームによる画角の広がりに伴ってワイド端付近ではアクセサリ部材が撮影画角に入り込む場合がある。
【０００４】
本発明はこのような事情に鑑みてなされたもので、光学系にアクセサリ部材が外付けされた場合に、ケラレの発生を防止できるテレビレンズ装置を提供することを目的とする。
【課題を解決するための手段】
【０００５】
上記目的を達成するために、請求項１に記載のテレビレンズ装置は、焦点距離の変更が可能な光学系と、前記光学系の焦点距離を変更する焦点距離変更手段と、前記光学系の所定の焦点距離の範囲において、前記光学系により結像される像にケラレを生じさせるアクセサリ部材が前記光学系に外付けされたか否かを検出する検出手段と、前記検出手段により前記アクセサリ部材が前記光学系に外付けされたことが検出された場合に、前記焦点距離変更手段により変更可能な焦点距離の範囲を前記ケラレを生じさせない範囲に自動的に制限する自動制限手段と、を備えたことを特徴とする。
【０００６】
本発明によれば、焦点距離の変更が可能な光学系の前部にアクセサリ部材が外付けされたことが検出された場合に、光学系の焦点距離の範囲をケラレを生じさせない範囲に制限するので、ケラレの発生を防止できる。
【０００７】
請求項２に記載のテレビレンズ装置は、請求項１に記載の発明において、前記制限手段は、前記焦点距離変更手段により変更可能な焦点距離の範囲を前記アクセサリ部材の種類に対応して制限する、ことを特徴とする。
【０００８】
本発明によれば、ワイパーユニットやレンズフードなどの複数の種類のアクセサリ部材をテレビレンズ装置に付け替えて使用する場合に、制限手段はアクセサリ部材の種類に対応して焦点距離の範囲を制限することができる。
【０００９】
請求項３に記載のテレビレンズ装置は、請求項１又は２に記載の発明において、前記ケラレを生じさせない範囲を記憶する記憶手段を更に備え、前記ケラレを生じさせない範囲は、前記記憶手段に予め記憶されている範囲又は操作者により設定された範囲である、ことを特徴とする。
【００１０】
本発明によれば、ケラレを生じない範囲を予め記憶装置が記憶してもよいし、操作者がケラレが発生しない範囲で所望の焦点距離の範囲を設定してもよい。
【００１１】
請求項４に記載のテレビレンズ装置は、焦点距離の変更が可能な光学系と、前記光学系の焦点距離を変更する焦点距離変更手段と、前記焦点距離変更手段によって前記光学系の焦点距離の変更可能な範囲を手動で制限する焦点距離制限手段と、前記光学系の所定の焦点距離の範囲において、前記光学系により結像される像にケラレを生じさせるアクセサリ部材が前記光学系に外付けされたか否かを検出する検出手段と、前記検出手段により前記アクセサリ部材が前記光学系に外付けされたことが検出され、かつ前記焦点距離制限手段によって前記所定の焦点距離の範囲への変更が制限されていない場合に警告を発する警告手段と、を備えることを特徴とする。
【００１２】
本発明によれば、アクセサリ部材を装着した際、光学系の焦点距離の範囲が制限されていない場合に、警告手段は警告を発することができる。
【００１３】
請求項５に記載のテレビレンズ装置は、焦点距離の変更が可能な光学系と、前記光学系の焦点距離を変更する焦点距離変更手段と、前記焦点距離変更手段によって前記光学系の焦点距離の変更可能な範囲を手動で制限する焦点距離制限手段と、前記光学系の所定の焦点距離の範囲において、前記光学系により結像される像にケラレを生じさせるアクセサリ部材が前記光学系に外付けされたか否かを検出する検出手段と、前記検出手段により前記アクセサリ部材が前記光学系に外付けされたことが検出され、かつ前記光学系の焦点距離が前記所定の焦点距離の範囲内に入ると、警告を発する警告手段と、を備えることを特徴とする。
【００１４】
本発明によれば、アクセサリ部材を装着した際、光学系の焦点距離の範囲がケラレが生じる範囲に入ると、警告手段は警告を発することができる。
【００１５】
請求項６に記載のテレビレンズ装置は、請求項１乃至５のいずれかに記載の発明において、前記アクセサリ部材は、ワイパーユニット又はレンズフードである、ことを特徴とする。
【発明の効果】
【００１６】
本発明によれば、焦点距離の変更が可能な光学系の前部にアクセサリ部材が外付けされたことが検出された場合に、光学系の焦点距離の範囲をケラレを生じさせない範囲に制限し、または、ケラレが発生しないように警告を発するので、ケラレの発生を防止できる。
【発明を実施するための最良の形態】
【００１７】
以下、添付図面に従って本発明に係るテレビレンズ装置の好ましい実施の形態について説明する。
【００１８】
図１は、本発明の一実施の形態に係わるテレビレンズ装置１のハードウェア概略構成を示す全体概観図である。テレビレンズ装置１は、ズームデマンド２及びテレビレンズ３から構成される。
【００１９】
ズームデマンド２は、テレビレンズ３に接続する。ズームデマンド２は、操作者がテレビレンズ３の外部から光学系３１のズーム動作を制御するための制御装置である。なお、ここで、ズーム動作とは、光学系３１が光軸に沿って移動することにより光学系３１の焦点距離が変化することをいう。
【００２０】
ツマミ２１ａは操作者の操作を受け付ける。操作者はツマミ２１ａを左右に回して操作することにより、光学系３１をワイド方向又はテレ方向にズーム動作させることができる。警告ランプ２３ａや表示パネル２３ｂは、デマンド制御手段２２から入力される情報（ＯＮ情報）を表示する。なお、ＯＮ情報及びズームデマンド２の詳細については後述する。
【００２１】
テレビレンズ３は、光学系３１、検出手段３３、レンズ鏡胴３６、及び係着冶具３７を備える。光学系３１はレンズ鏡胴３６に納められている。光学系３１の前部には、アクセサリ部材であるワイパーユニット４１が着脱可能に外付けされる。なお、テレビレンズ３及び検出手段３３の詳細は後述する。
【００２２】
アクセサリ部材は、光学系３１の所定の焦点距離の範囲において、光学系３１により結像される像にケラレを生じさせる場合がある。なお、アクセサリ部材としては、ワイパーユニット４１のほか、レンズフードでもよいし、光学アクセサリ（ワイドコンバータ等）でもよい。
【００２３】
次に、アクセサリ部材の光学系３１への取り付けについて、図２に基づいて説明する。なお、図２では、アクセサリ部材としてワイパーユニット４１、レンズフード４６を例として説明する。図２（ａ）は、ワイパーユニット４１又はレンズフード４６が光学系３１に取り付けられる状態を示した斜視図である。図２（ｂ）は、ワイパーユニット４１が光学系３１に取り付けられる状態を示した側面図である。
【００２４】
ワイパーユニット４１は光学系３１に雨が掛かることを防ぎ、保護ガラス４２に付着した雨を除去するアクセサリ部材である。ワイパーユニット４１は保護ガラス４２、ワイパー装置４３、及びフック４４を備える。保護ガラス４２は、前壁４５に嵌め込まれている。ワイパー装置４３は保護ガラス４２の前面で往復移動する。フック４４を係着冶具３７に係着すると、ワイパーユニット４１はテレビレンズ３に着脱可能に取り付けられる。
【００２５】
レンズフード４６は光学系３１に対して斜めに入射する光を遮断するアクセサリ部材である。レンズフード４６の前壁４７には、開口部４８が形成されている。レンズフード４６は、フック４９を備える。フック４９を係着冶具３７に係着すると、レンズフード４６はテレビレンズ３に着脱可能に取り付けられる。係着時には、光学系３１は開口部４８から露出する。
【００２６】
次に、図３に基づいてテレビレンズ装置１の制御について説明する。図３は、テレビレンズ装置１の全体構成を示すブロック図である。なお、以下では、アクセサリ部材の例としてワイパーユニット４１について説明する。
【００２７】
ズームデマンド２は、操作手段２１（ツマミ２１ａ）、デマンド制御手段２２、及び表示手段２３（警告ランプ２３ａ、表示パネル２３ｂ）を備える。デマンド制御手段２２は、操作手段２１の操作に基づいて、ズーム動作の速度を制御する速度信号を生成する。そして、デマンド制御手段２２は、制御手段３５に速度信号を送信する。また、デマンド制御手段２２は、表示手段２３に後述するＯＮ情報を表示させる制御を行なう。また、デマンド制御手段２２は、後述するレンズ駆動手段３２などに設けられたポテンショメータ等から、光学系３１の現在の位置（焦点距離）を示す位置データを取得する。
【００２８】
テレビレンズ３は、光学系３１、レンズ駆動手段３２、検出手段３３、記憶手段３４、及び制御手段３５を備える。
【００２９】
光学系３１は物体の結像を行なうレンズ群であり、焦点距離の変更が可能である。より詳細には、光学系３１は、光学系３１を構成するレンズ群の一部（変倍レンズ系など）を光軸に沿って進退させることにより焦点距離を連続的に変化させることができ、しかもピントズレを生じさせないという機能を備える。焦点距離の変化のうち、焦点距離が短くなる（ワイドズーム）と、像は小さくなり画角は広くなる。焦点距離が長くなる（テレズーム）と、像は大きくなり画角は狭くなる。
【００３０】
レンズ駆動手段３２は小型モータなどであり、光学系３１を光軸に沿って進退させて光学系３１の位置を変更し、光学系３１の焦点距離を変更する焦点距離変更手段である。また、レンズ駆動手段３２は、光学系３１の位置（焦点距離）を検出するためのポテンショメータ（図示しない）などを備える。ポテンショメータは、光学系３１の現在の位置（焦点距離）を示す位置データを制御手段３５に出力する。
【００３１】
検出手段３３はマイクロスイッチなどであり、光学系３１の所定の焦点距離の範囲において、光学系３１により結像される像にケラレを生じさせるワイパーユニット４１が光学系３１に外付けされたか否かを検出する。そして検出手段３３は検出結果を示す検出信号を生成し、検出信号を制御手段３５に出力する。
【００３２】
記憶手段３４は、光学系３１にワイパーユニット４１などのアクセサリ部材を外付けして撮影した場合に、ケラレを生じさせない焦点距離の範囲（制限範囲）を予め記憶している。制限範囲は、光学系３１とワイパーユニット４１の形状とによって決定される。例えば、光学系３１がワイパーユニット４１を外付けした場合、光学系３１の焦点距離の範囲は、テレ端から６．７ｍｍまでなどと、記憶手段３４に予め記憶される。
【００３３】
制御手段３５は、デマンド制御手段２２から送信された速度信号に基づいてレンズ駆動手段３２を制御する。また、制御手段３５は検出手段３３から検出信号を受信する。制御手段３５は、検出手段３３によりワイパーユニット４１が光学系３１に外付けされたことが検出された場合に、光学系３１の変更可能な焦点距離の範囲を制限範囲に自動的に制限する自動制限手段である。すなわち、制御手段３５は記憶手段３４の制限範囲に基づいて、レンズ駆動手段３２による光学系３１の焦点距離の変化（ワイドズーム）をケラレが生じる焦点距離の直前までに制限する。
【００３４】
なお、以下では、光学系３１の焦点距離の範囲を制限範囲に制限する機能を制限機能という。制御手段３５は検出手段３３から検出信号を受け付けると、制限機能を有効にする。制御手段３５は制限機能として以下の処理を行なう。
【００３５】
制御手段３５は記憶手段３４から制限範囲の情報を読み込む。そして制御手段３５はレンズ駆動手段３２を制御することにより、光学系３１の焦点距離の範囲を制限範囲に制限する。例えば、レンズ駆動手段３２は光学系３１のズーム動作のスピードを、ケラレが発生する焦点距離の直前（制限範囲におけるワイド端）付近では減速させる（小型モータの回転速度を減速させる）などして、光学系３１のズーミングをケラレが発生する焦点距離の直前で停止させる。
【００３６】
また、制御手段３５は制限機能が有効であること、すなわち光学系３１の焦点距離の範囲が制限されていることを示す情報（ＯＮ情報）を、デマンド制御手段２２に出力する。
デマンド制御手段２２は制御手段３５からＯＮ情報が入力されると、表示手段２３にＯＮ情報を出力する。
【００３７】
表示手段２３はＯＮ情報を受信する。ランプ２３ａは、点灯したり点滅したりすることにより、ＯＮ情報を表示する。表示パネル２３ｂは、文字や記号を表示することにより、ＯＮ情報を表示する。
【００３８】
本実施形態により、制御手段３５は制限機能を有し、光学系３１の焦点距離の範囲を制限範囲に制限する。これにより、光学系３１はケラレが生じる焦点距離の直前でズーム動作を止め、制限範囲を超えてワイドズームしない。このためテレビレンズ装置１はケラレの発生を防止できる。
【００３９】
なお、操作者がツマミ２１ａを操作することにより、光学系３１の焦点距離の範囲をケラレを生じさせない範囲として設定してもよい。以下、操作者によって設定された範囲を設定範囲という。記憶手段３４は制限範囲として、予め記憶されている範囲のほか、設定範囲を記憶してもよい。制御手段３５は予め記憶されている範囲に基づいて光学系３１の焦点距離の範囲を制限するほか、設定範囲に基づいて光学系３１の焦点距離の範囲を制限してもよい。
【００４０】
なお、複数のアクセサリ部材が光学系３１に外付けされる場合、例えば、ワイパーユニット４１とレンズフード４６とを光学系３１に付け替えて使用する場合、記憶手段３４は複数のアクセサリ部材にそれぞれ対応する制限範囲を記憶する。検出手段３３は光学系３１にアクセサリ部材が外付けされたことを検出すると共に、アクセサリ部材の種類を識別する。制御手段３５は、アクセサリ部材に対応する制限範囲に基づいて、光学系３１の焦点距離の範囲を制限する。
【００４１】
＜第二実施形態＞
本実施形態では、テレビレンズ装置１は、ワイパーユニット４１等のアクセサリ部材が光学系３１に外付けされ、かつ光学系３１の焦点距離の変更可能な範囲が制限されていない場合に、表示手段２３によって警告を発する。
【００４２】
以下、図４に基づいて本実施形態に係わるテレビレンズ装置１について説明する。図４は、テレビレンズ装置１の構成を示すブロック図である。図中、同符号は同機能を有する。
【００４３】
制御手段３５は検出手段３３から検出信号を受信し、検出信号をデマンド制御手段２２に出力する。ズームデマンド２は、記憶手段２４と図１に示すスイッチ２１ｂとを更に備える。記憶手段２４は、制限範囲を記憶している。デマンド制御手段２２は記憶手段２４から適宜、制限範囲を読み出すことができる。スイッチ２１ｂは操作手段２１であって、操作者の押圧操作（ワンタッチ操作）を受け付ける。
【００４４】
デマンド制御手段２２は、操作者によりスイッチ２１ｂが手動でオンされると、レンズ駆動手段３２によって光学系３１の焦点距離の変更可能な範囲を制限範囲に制限する（制限機能を有効にする）。デマンド制御手段２２は制限機能として、以下の処理を行なう。
デマンド制御手段２２は、記憶手段２４から制限範囲を読み出す。そして、デマンド制御手段２２は、光学系３１の焦点距離の範囲を制限範囲に制限することを指示する速度信号（例えば、制限範囲のワイド端付近でズーム動作のスピードを減速させる等）を生成する。そして、デマンド制御手段２２は生成された速度信号を制御手段３５に出力する。制御手段３５は速度信号に基づいて、光学系３１のズーム動作を制御する。
【００４５】
デマンド制御手段２２は検出信号を受信し、かつ制限機能が有効でない場合に、警告信号を表示手段２３に出力する。表示手段２３は警告を発する警告手段であり、ランプ２３ａは点灯したり点滅したりすることにより、警告を表示する。表示パネル２３ｂは文字や記号を表示することにより、警告を表示する。
【００４６】
本実施形態により、スイッチ２１ｂがオンされると、デマンド制御手段２２は、光学系３１の焦点距離の範囲を制限範囲に制限する。また、ワイパーユニット４１等のアクセサリ部材が光学系３１に外付けされ、かつ光学系３１の焦点距離の範囲が制限されていない場合、表示手段２３は警告表示を行なう。これにより、光学系３１はケラレが生じる焦点距離の直前でズーム動作を止め、制限範囲を超えてワイドズームしない。このため、テレビレンズ装置１はケラレの発生を防止できる。
【００４７】
なお、操作者がツマミ２１ａを操作することにより、光学系３１の焦点距離の範囲をケラレを生じさせない範囲として設定（設定範囲）してもよい。デマンド制御手段２２は予め記憶されている範囲に基づいて学系３１の焦点距離の範囲を制限するほか、設定範囲に基づいて光学系３１の焦点距離の範囲を制限してもよい。
【００４８】
なお、複数のアクセサリ部材が光学系３１に外付けされる場合、例えば、ワイパーユニット４１とレンズフード４６とを光学系３１に付け替えて使用する場合、記憶手段２４は複数のアクセサリ部材にそれぞれ対応する制限範囲を記憶する。検出手段３３は光学系３１にアクセサリ部材が外付けされたことを検出すると共に、アクセサリ部材の種類を識別する。デマンド制御手段２２は、アクセサリ部材に対応する制限範囲に基づいて、光学系３１の焦点距離の範囲を制限する。
【００４９】
なお、ランプ２３ａや表示パネル２３ｂによって警告を表示するほか、スピーカー等をズームデマンド２に設け、音声によって警告を発してもよい。
【００５０】
なお、表示手段２３は、ワイパーユニット４１等のアクセサリ部材が光学系３１に外付けされ、かつ制限機能が有効でない場合に警告を発するほか、ワイパーユニット４１等のアクセサリ部材が光学系３１に外付けされ、かつ光学系３１の焦点距離がケラレを発生する範囲内に入ると警告を発してもよい。
【図面の簡単な説明】
【００５１】
【図１】図１は、テレビレンズ装置の全体概観図である。
【図２】図２（ａ）は、アクセサリ部材であるワイパーユニット又はレンズフードが光学系に取り付けられる状態を示した斜視図である。図２（ｂ）は、ワイパーユニットが光学系に取り付けられる状態を示した側面図である。
【図３】図３は、テレビレンズ装置の構成を示すブロック図である。
【図４】図４は、第二実施形態に係わるテレビレンズ装置の構成を示すブロック図である。
【符号の説明】
【００５２】
１…テレビレンズ装置、２…ズームデマンド、２１…操作手段、２１ａ…ツマミ、２１ｂ…スイッチ、２２…デマンド制御手段、２３…表示手段、２３ａ…ランプ、２３ｂ…表示パネル、２４…記憶手段、３…テレビレンズ、３１…光学系、３２…レンズ駆動手段、３３…検出手段、３４…記憶手段、３５…制御手段、３６…レンズ鏡胴、４１…ワイパーユニット
【図１】
2007057800.tif 000003
【図２】
2007057800.tif 000004
【図３】
2007057800.tif 000005
【図４】
2007057800.tif 000006